(57)【要約】【課題】出隅部に設けられた板状建材の地震時等における破損を防止することができる建材取付構造及び取付金具を提供する。【解決手段】出隅部に役物の板状建材１０が配置され、サイディング８Ａ，８Ｂに対し弾性接着剤２９及び取付金具２０を介して取り付けられている。取付金具２０は出入り方向に弾性変形可能である。板状建材１０は、胴縁６Ａ，６Ｂに対し支持金具７を介して躯体面方向に変位可能に取り付けられている。板状建材１０の裏面に設けられた溝１３に取付金具２０の舌片２２が係合している。取付金具２０は、開口２５の両側に狭幅部２４，２４が設けられているので、容易に弾性変形する。【選択図】  図１
2004238940.tif 000002
【特許請求の範囲】
【請求項１】
板状建材が取付金具を介して壁下地に取り付けられた建材取付構造において、
該壁下地は出隅部であり、該板状建材は該出隅部を回り込むＬ字形の役物であり、
該取付金具は、壁下地面の出入り方向に弾性変形可能であることを特徴とする建材取付構造。
【請求項２】
請求項１において、該板状建材の裏面に溝が設けられ、該取付金具の下部から前方に延設された舌片が該溝に挿入され、該取付金具の上部が壁下地に留め付けられていることを特徴とする建材取付構造。
【請求項３】
請求項１又は２において、該取付金具は板状であり、少なくとも１箇所の弾性変形用狭幅部を有することを特徴とする建材取付構造。
【請求項４】
請求項１ないし３のいずれか１項において、該取付金具は、その上部が１本のビス又は釘によって壁下地に取り付けられていることを特徴とする建材取付構造。
【請求項５】
請求項１ないし４のいずれか１項において、板状建材の裏面が弾性接着剤によって壁下地に接着されていることを特徴とする建材取付構造。
【請求項６】
請求項５において、該弾性接着剤は上下方向に延在して複数条付着されていることを特徴とする建材取付構造。
【請求項７】
請求項１ないし６のいずれか１項において、該壁下地は、建物躯体に対し躯体面に沿う水平方向の移動を許容する支持金具により留め付けられたサイディングによって構成されていることを特徴とする建材取付構造。
【請求項８】
板状建材を壁下地に取り付けるための取付金具において、
下部に板状建材係止用の舌片が設けられ、
上部にビス又は釘の挿通用の孔が設けられ、
該舌片と孔との間に弾性変形用の狭幅部を有することを特徴とする建材取付金具。
【発明の詳細な説明】
【０００１】
【発明の属する技術分野】
本発明は、板状建材が壁下地に取り付けられた建材取付構造と、この構造に用いられる取付金具に関するものである。
【０００２】
【従来の技術】
板状建材が取付金具を介して壁下地に取り付けられた構造として、特開平５−７９１６３号（特にその図４，５）には、板状建材の裏面に、溝の奥側など上方となるように傾いた傾斜溝を設け、金具の掛止片部を該溝に挿入し、該金具を壁下地に固定した構造が記載されている。
【０００３】
【特許文献１】
特開平５−７９１６３号公報
【０００４】
【発明が解決しようとする課題】
この特開平５−７９１６３号公報の構造にあっては、板状建材は平板状であるので、地震時等における面出入り方向の層間変位が比較的小さい。
【０００５】
ところが、建物の出隅部に役物の板状建材を取付施工した場合、板状建材に対して面出入り方向に大きな応力が加えられる。この理由について、図８を参照して次に説明する。
【０００６】
図８は、この役物の板状建材が取付金具を介して取り付けられた出隅部の概略的な斜視図である。壁下地１の出隅部にあっては、第１の下地面１ａと第２の下地面１ｂとが交叉している。役物の板状建材２（２Ａ，２Ｂ，２Ｃ）は、第１片２ａと第２片２ｂとが直交状に連なったＬ字形状である。この板状建材２は取付金具（図示略）を介して壁下地１に取り付けられている。
【０００７】
この出隅部に矢印Ａ方向の層間変位が生じた場合、板状建材２Ａ，２Ｃの第２片２ｂと板状建材２Ｂの第１片２ａに対し第２の下地面１ｂから離反する方向に大きな応力が加えられる。矢印Ｂ方向の層間変位が生じたときには、板状建材２Ａ，２Ｃの第１片２ａと、板状建材２Ｂの第２片２ｂとに対し、第１の下地面１ａから離反する方向に大きな応力が生じる。
【０００８】
このように各板状建材２には、地震時に大きな応力が生じるので、板状建材２の壁下地１に対する取付剛性が高いと、大地震時には板状建材２が層間変位に追随しきれず、板状建材２が割れるおそれがある。
【０００９】
本発明は、このような問題点を解決し、大きな層間変位が生じても役物よりなる板状建材の損傷が防止される建材取付構造と、そのための取付金具とを提供することを目的とする。
【００１０】
【課題を解決するための手段】
本発明の建材取付構造は、板状建材が取付金具を介して壁下地に取り付けられた建材取付構造において、該壁下地は出隅部であり、該板状建材は該出隅部を回り込むＬ字形の役物であり、該取付金具は、壁下地面の出入り方向に弾性変形可能であることを特徴とする。
【００１１】
かかる建材取付構造にあっては、取付金具が壁下地面の出入り方向に弾性変形可能であるため、大きな層間変位が出隅部のいずれの方向に生じても、該取付金具が弾性変形し、役物よりなる板状建材に過大な応力が生じることが防止される。
【００１２】
本発明では、板状建材の裏面に溝が設けられ、該取付金具の下部から前方に延設された舌片が該溝に挿入され、該取付金具の上部が壁下地に留め付けられていることが好ましい。この取付金具は、下部が板状建材を支持し、上部が壁下地に留め付けられているので、板状建材が壁下地から前方へ離反しようとしたときに該取付金具が前方へ弾性的に変形し、板状建材の前方移動を許容する。
【００１３】
この取付金具は板状であり、少なくとも１箇所の弾性変形用狭幅部を有することが好ましい。かかる弾性変形用狭幅部を有する取付金具は、板状建材の前方への移動に追随して容易に弾性変形する。
【００１４】
本発明では、板状建材の裏面が弾性接着剤を介して壁下地に接着されていることが好ましい。この弾性接着剤は、板状建材の変位に追随して弾性変形する。
【００１５】
この弾性接着剤は、上下方向に複数条設けられることが好ましい。このようにすれば、板状建材の裏側に回り込んだ雨水や結露水などの水が、壁下地を伝ってスムーズに流れ落ちるようにする。
【００１６】
本発明では、壁下地は、建物躯体に対し躯体面に沿う水平方向の移動を許容する支持金具により留め付けられたサイディングによって構成されていることが好ましい。このようにサイディングを躯体に留め付けた場合、サイディングが地震時等に躯体面に沿って動くので、該サイディングに、躯体面に沿う方向の応力が生じることが防止される。
【００１７】
本発明の取付金具は、板状建材を壁下地に取り付けるための取付金具において、下部に板状建材係止用の舌片が設けられ、上部にビス又は釘の挿通用の孔が設けられ、該舌片と孔との間に弾性変形用の狭幅部を有することを特徴とするものである。
【００１８】
この取付金具によって板状建材を壁下地に取り付けた場合、地震時等に狭幅部が弾性変形することにより、板状建材に生じる応力が著しく軽減される。
【００１９】
【発明の実施の形態】
以下、図面を参照して実施の形態について説明する。図１は実施の形態に係る建材取付構造及び金具を示す斜視図、図２は板状建材の裏側からの斜視図、図３は図２のＩＩＩ−ＩＩＩ線斜視図、図４は取付金具を装着した板状建材の斜視図、図５は弾性接着剤を塗布した板状建材の斜視図、図６は取付金具の斜視図である。
【００２０】
図１の通り、出隅部の柱４の直交する２側面に沿って防水紙５が張設され、この防水紙５の上側から胴縁６Ａ，６Ｂが釘打ちなどにより該柱４に取り付けられている。
【００２１】
この胴縁６Ａ，６Ｂに対し、支持金具７を介してそれぞれサイディング８Ａ，８Ｂが支持されている。この支持金具７は、例えば図７に示すように、下向きＬ字形の支承片７ａと上向きＬ字形の支承片７ｂと、ビス又は釘用の孔７ｃとを有している。サイディング８Ａ，８Ｂの上縁には雄実８ａが設けられ、下縁には雌実８ｂが設けられている。雄実８ａと雌実８ｂは互いに嵌合する形状である。上向きＬ字形の支承片７ｂは雌実８ｂに係合し、サイディング８Ａ又は８Ｂの荷重を受けると共に、該サイディング８Ａ又は８Ｂの下端の出入り方向（躯体面に対しての出入り方向）の拘束を行っている。下向きＬ字形の支承片７ａは、雄実７ａに対し上方から係合し、サイディング８Ａ又は８Ｂの出入り方向の拘束を行っている。
【００２２】
支持金具７は、サイディング８Ａ又は８Ｂの躯体面に沿う水平方向への動きを拘束していない。従って、地震により図１の矢印Ａ又はＢ方向の層間変位が生じた場合、サイディング８Ａ又は８Ｂはこの層間変位に追随して躯体面に沿って変位可能である。
【００２３】
なお、サイディング８Ａ，８Ｂは下段側から順次に施工される。支持金具７は、胴縁６Ａ又は６Ｂに当てがわれたサイディング８Ａ又は８Ｂの上縁を押えるように配置され、胴縁６Ａ又は６Ｂに対しビス留め又は釘留めされる。
【００２４】
このサイディング８Ａ，８Ｂに対し板状建材が取り付けられる。出隅部にあっては、出隅凸コーナーを回り込むようにして役物の板状建材１０が配置され、取付金具２０を介してサイディング８Ａ，８Ｂに取り付けられる。
【００２５】
板状建材１０は、直交する第１片１１と第２片１２とを有したＬ字形状であり、第１片１１及び第２片１２の裏面の上部にそれぞれ水平方向（板状建材を施工した状態での水平方向。）に延在する溝１３が設けられている。この溝１３は、奥側ほど上方となるように傾斜している。この溝１３は、例えばダイヤモンドカッター等を用いて設けることができる。
【００２６】
この溝１３に対し、取付金具２０の舌片２２が差し込まれる。この取付金具２０は、図６（ａ）の通り、サイディング８Ａ又は８Ｂに沿って上下方向に配置される主板２１と、該主板２１の下端から前方へ向って上り勾配となるように突設された該舌片２２と、主板２１の上部に設けられたビスは釘用の孔２３と、上下方向の中間に開口２５を設けることにより該開口２５の両側に形成された狭幅部２４，２４とを有する。取付金具２０は、この狭幅部２４が設けられているので、該取付金具２０は、その主板部２１の板面と垂直方向（図６（ａ）の矢印θ方向）に対し比較的容易に弾性可能である。
【００２７】
図４の通り、溝１３に接着剤２７を充填した後、この取付金具２０の舌片２２を該溝１３に差し込む。この接着剤２７は弾性接着剤であってもよく、エポキシ等の非弾性接着剤であってもよい。
【００２８】
次いで、図５の通り、板状建材１０の裏面に上下方向に延在するビード状となるように弾性接着剤２８を付着させる。弾性接着剤２８としては、例えばシリコン系、ウレタン系などを用いることができる。
【００２９】
その後、板状建材１０を出隅部に配置し、取付金具２０の孔２３を通してビス又は釘２９を打ち、板状建材１０をサイディング８Ａ，８Ｂに取り付ける。この板状建材１０も、下段側から順次に取付施工される。
【００３０】
このように取付金具２０及び弾性接着剤２８を介して板状建材１０を取り付け施工してなる出隅部において、地震により図１の矢印Ａ方向に層間変位が生じた場合、サイディング８Ａは該Ａ方向に追随して変位しうる。また、矢印Ｂ方向に層間変位が生じた場合、サイディング８Ｂは該Ｂ方向に追随して変位しうる。
【００３１】
このサイディング８Ａ又は８Ｂの変位が生じた場合、第２片の取付金具２０は図５のＸ方向に、また第１片の取付金具２０は図５のＹ方向にそれぞれ弾性的に変形する。また、弾性接着剤２８は、Ｘ方向、Ｙ方向のいずれにも自在に弾性変形する。このため、板状建材１０に生じる応力が著しく軽減される。従って、板状建材１０の破損が確実に防止される。なお、地震以外の原因によって層間変位が生じた場合にも同様にして板状建材１０の破損が防止される。
【００３２】
溝１３に弾性接着剤を充填した場合、取付金具２０は孔２３を回動中心としてサイディング面に沿って揺動しうる。これにより、板状建材１０に生じる応力が軽減される。
【００３３】
なお、この実施の形態では、弾性接着剤２８が上下に延在しているので、板状建材１０の裏側に入り込んだ水がスムーズにサイディング８Ａ，８Ｂに沿って流れ落ちる。
【００３４】
次に、図６（ｂ），（ｃ），（ｄ）を参照して取付金具の別の形状例について説明する。
【００３５】
図６（ｂ）の取付金具３０は、主板部３１と、この主板部３１の下端から突設された舌片３２と、主板部３２の上部に設けられた孔３３とを有する。主板部３１の下部は、下方など幅が小さくなる狭幅部３４となっている。
【００３６】
図６（ｃ）の取付金具４０は、主板部４１と、この主板部４１の下端から突設された舌片４２と、主板部４２の上部に設けられた孔４３とを有する。主板部４１の下部１２は、両側からくびれ状の食い込みを形成することにより狭幅部４４が設けられている。
【００３７】
これらの狭幅部３４，４４を設けることにより、取付金具３０，４０は主板部３１，４１と垂直方向に容易に弾性変形しうる。
【００３８】
図６（ｄ）の取付金具５０は、上下にわたって等幅の主板部５１と、この主板部５１の下端から突設された舌片５２と、主板部５１の上部に設けられた孔５３とを有する。この取付金具５０は、主板部５１の幅が小さいので、該主板部５１と垂直方向に容易に弾性変形しうる。
【００３９】
なお、図６の取付金具２０，３０，４０，５０は、いずれも舌片２２，３２，４２，５２が１個のみ設けられているが、２個以上設けられてもよい。
【００４０】
上記実施の形態は本発明の一例であり、本発明は上記実施の形態に限定されるものではない。
【００４１】
【発明の効果】
以上の通り、本発明によると、出隅部に設けられた板状建材の地震時等における破損を防止することができる。
【図面の簡単な説明】
【図１】実施の形態に係る建材取付構造及び金具を示す斜視図である。
【図２】板状建材の裏側からの斜視図である。
【図３】図２のＩＩＩ−ＩＩＩ線斜視図である。
【図４】取付金具を装着した板状建材の斜視図である。
【図５】弾性を塗布した板状建材の斜視図である。
【図６】取付金具の斜視図である。
【図７】支持金具の斜視図である。
【図８】従来例を示す説明図である。
【符号の説明】
６Ａ，６Ｂ  胴縁
７  支持金具
８Ａ，８Ｂ  サイディング
１０  板状建材
１１  第１片
１２  第２片
２０，３０，４０，５０  取付金具
２２，３２，４２，５２  舌片
２４，３４，４４  狭幅部
２９  弾性接着剤
【図１】
2004238940.tif 000003
【図２】
2004238940.tif 000004
【図３】
2004238940.tif 000005
【図４】
2004238940.tif 000006
【図５】
2004238940.tif 000007
【図６】
2004238940.tif 000008
【図７】
2004238940.tif 000009
【図８】
2004238940.tif 000010